(57)【要約】【課題】器具本体に対する保持力を高めた光源ユニット及びそれを用いた照明器具を提供する。【解決手段】光源ユニット２は、取付部材２１と、ＬＥＤモジュール２２と、カバー２３と、取付機構と、引掛部３０２と、操作部３０３とを備える。取付部材２１は、長尺且つ板状に形成される。ＬＥＤモジュール２２は、取付部材２１の下面側に配置される。カバー２３は、少なくとも一部が透光性を有する材料で箱形に形成され、且つＬＥＤモジュール２２を覆うように取付部材２１に取り付けられる。引掛部３０２は、器具本体に設けられた第１引掛部に引っ掛けられる第１位置と、第１引掛部から外れる第２位置との間で移動する。操作部３０３は、引掛部３０２を第１位置又は第２位置へ移動させる際に操作される。そして、光源ユニット２が器具本体に取り付けられた状態では、引掛部３０２が第１引掛部に引っ掛けられる。【選択図】図１
2015165480.tif 000002
【特許請求の範囲】
【請求項１】
長尺且つ板状に形成された取付部材と、
前記取付部材の一面側に配置される光源部と、
少なくとも一部が透光性を有する材料で箱形に形成され、前記光源部を覆うように前記取付部材に取り付けられるカバーと、
長尺状に形成された器具本体に取り付けるための取付機構と、
前記器具本体に設けられた第１引掛部に引っ掛けられる第１位置と前記第１引掛部から外れる第２位置との間で移動する第２引掛部と、
前記第２引掛部を前記第１位置又は前記第２位置へ移動させる際に操作される操作部と、を備え、
前記器具本体に取り付けられた状態では、前記第２引掛部が前記第１引掛部に引っ掛けられていることを特徴とする光源ユニット。
【請求項２】
前記器具本体に取り付けられた状態において前記器具本体の外部から操作可能な位置に前記操作部が設けられていることを特徴とする請求項１記載の光源ユニット。
【請求項３】
前記第２引掛部の移動方向に長い板状に形成された主部を有し、前記第２引掛部及び前記操作部が前記主部と一体に設けられており、段付きねじにより前記取付部材に取り付けられる引掛部材を備え、
前記主部は、前記第２引掛部の移動方向に沿って開口し且つ前記第２引掛部の移動に伴って前記段付きねじが移動する溝部を有しており、前記第２引掛部の移動方向における一端側が前記溝部により二股に分かれていることを特徴とする請求項１又は２記載の光源ユニット。
【請求項４】
前記溝部は、前記第２引掛部の移動方向における一部がクランク形状になっていることを特徴とする請求項３記載の光源ユニット。
【請求項５】
前記溝部は、前記溝部の開口端縁から前記溝部内に突出し、前記溝部内を移動する際に前記段付きねじが接触する突起部を有していることを特徴とする請求項３又は４記載の光源ユニット。
【請求項６】
前記第２引掛部と前記操作部とが一体に形成された引掛部材を備え、
前記取付部材は、長尺且つ矩形板状に形成された底壁部と、前記底壁部の幅方向における両端から前記底壁部と交差する方向で且つ前記光源部と反対側に突出する一対の側壁部とで形成されており、
前記取付部材の前記側壁部は、前記取付部材の長手方向に沿って前記引掛部材が移動する際のガイドとして機能することを特徴とする請求項１〜５の何れか１項に記載の光源ユニット。
【請求項７】
前記第２引掛部は、前記操作部の回転動作に伴って前記第１位置又は前記第２位置へ移動することを特徴とする請求項１又は２記載の光源ユニット。
【請求項８】
請求項１〜７の何れか１項に記載の光源ユニットと、前記器具本体とを備えていることを特徴とする照明器具。
【発明の詳細な説明】
【技術分野】
【０００１】
本発明は、一般に光源ユニット及びそれを用いた照明器具に関し、より詳細には長尺状に形成された器具本体に取り付けられる光源ユニット及びそれを用いた照明器具に関する。
【背景技術】
【０００２】
従来、天井板に直付けされる天井直付け型の照明器具が提供されている（例えば特許文献１参照）。特許文献１に記載された照明器具は、天井板に取り付けられる器具本体と、器具本体に取り付けられる光源部と、光源部を器具本体に取り付けるための係止部材とを備える。そして、光源部は、器具本体の下面側に設けられた収容凹部にその一部が収容された状態で、係止部材を介して器具本体に取り付けられる。
【先行技術文献】
【特許文献】
【０００３】
【特許文献１】特開２０１２−３９９３号公報
【発明の概要】
【発明が解決しようとする課題】
【０００４】
上述の特許文献１に示した照明器具では、光源部の重さのみが係止部材に加えられる場合には、係止部材の保持力によって光源部を保持することができる。しかしながら、例えば光源部に対してプルスイッチが付加された場合には、プルスイッチの引き紐を引く力の大きさによっては係止部材に加えられる力が係止部材の保持力を超える可能性があった。
【０００５】
本発明は上記問題点に鑑みて為されており、器具本体に対する保持力を高めた光源ユニット及びそれを用いた照明器具を提供することを目的とする。
【課題を解決するための手段】
【０００６】
本発明の光源ユニットは、長尺且つ板状に形成された取付部材と、前記取付部材の一面側に配置される光源部と、少なくとも一部が透光性を有する材料で箱形に形成され、前記光源部を覆うように前記取付部材に取り付けられるカバーと、長尺状に形成された器具本体に取り付けるための取付機構と、前記器具本体に設けられた第１引掛部に引っ掛けられる第１位置と前記第１引掛部から外れる第２位置との間で移動する第２引掛部と、前記第２引掛部を前記第１位置又は前記第２位置へ移動させる際に操作される操作部と、を備え、前記器具本体に取り付けられた状態では、前記第２引掛部が前記第１引掛部に引っ掛けられていることを特徴とする。
【０００７】
本発明の照明器具は、上記の光源ユニットと、前記器具本体とを備えていることを特徴とする。
【発明の効果】
【０００８】
本発明に係る光源ユニットの構成によれば、器具本体に取り付けられた状態では第２引掛部が第１引掛部に引っ掛けられているため、取付機構のみで器具本体に取り付けた場合に比べて、器具本体に対する保持力を高めることができる。
【０００９】
本発明に係る照明器具の構成によれば、上記の光源ユニットを用いることで、器具本体に対する光源ユニットの保持力を高めた照明器具を提供することができる。
【図面の簡単な説明】
【００１０】
【図１】本実施形態の光源ユニットの分解斜視図である。
【図２】本実施形態の照明器具の外観斜視図である。
【図３】本実施形態の照明器具において器具本体から光源ユニットを取り外した状態の斜視図である。
【図４】本実施形態の照明器具に用いられる引掛部材の外観斜視図である。
【図５】図５Ａ及び図５Ｂは本実施形態の照明器具に用いられる引掛部材の動作を説明する説明図である。
【図６】本実施形態の照明器具の要部拡大図である。
【図７】図７Ａは本実施形態の照明器具に用いられる別の引掛部材の正面図、図７Ｂは前面図、図７Ｃは下面図である。
【図８】図８Ａ及び図８Ｂは本実施形態の照明器具に用いられる別の引掛部材の動作を説明する説明図、図８Ｃは要部拡大図である。
【図９】図９Ａ及び図９Ｂは本実施形態の照明器具に用いられる別の引掛部材の動作を説明する説明図である。
【図１０】図１０Ａは本実施形態の照明器具に用いられるさらに別の引掛部材の正面図、図１０Ｂは前面図、図１０Ｃは下面図である。
【図１１】本実施形態の別の光源ユニットの要部拡大図である。
【図１２】本実施形態の照明器具に用いられるまたさらに別の引掛部材の動作を説明する説明図である。
【発明を実施するための形態】
【００１１】
以下に、本発明に係る光源ユニット２並びに照明器具１０の実施形態について、図面を参照しながら具体的に説明する。なお、以下の説明では特に断りがない限り、図２において上下、前後、左右の各方向を規定する。すなわち、器具本体１の長手方向が前後方向となり、器具本体１の幅方向が左右方向となる。
【００１２】
本実施形態の照明器具１０は、図２及び図３に示すように、光源ユニット２と、器具本体１とを備える。器具本体１は、天井板を通して室内側に露出する吊ボルト（図示せず）に固定され、天井板の下面（天井面）に直付けされる。光源ユニット２は、器具本体１に対して着脱自在に取り付けられる。
【００１３】
器具本体１は、板金に曲げ加工することで長尺且つ上面（天井板との対向面）が開口する扁平な箱形に形成されている。また、器具本体１は、光源ユニット２を収容するための矩形の凹部１１が、下面側（天井板と反対側）で且つ長手方向（前後方向）の全長に亘って設けられている。さらに、器具本体１の左右方向（幅方向）における凹部１１の両側には、凹部１１の開口端縁から延出し、且つ外側に向かって上方へ傾斜する傾斜部１２がそれぞれ設けられている（図２及び図３参照）。
【００１４】
また、凹部１１の底壁部１１１には、電線を通すための孔１１１Ａが前後方向（長手方向）における略中央に設けられている。さらに、底壁部１１１には、吊ボルト（図示せず）を通すための孔１１１Ｂが前後方向における両端寄りの位置にそれぞれ設けられている。また、凹部１１の前後方向における両端には、底壁部１１１と対向するように配置された矩形の引掛板１３がそれぞれ設けられている。そして、底壁部１１１の下面には、外部からの電源線（図示せず）が接続される端子台（図示せず）が取り付けられる。
【００１５】
光源ユニット２は、図１及び図３に示すように、取付部材２１と、複数（例えば、２つ）のＬＥＤモジュール２２と、カバー２３と、カバーエンド２４と、電源装置（図示せず）と、機能部品と、一対の引掛部材３０とを備える。
【００１６】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って実装されている。また、一方のＬＥＤモジュール２２の後端部には、電源装置との間を電気的に接続するためのコネクタ（図示せず）が実装されている。このコネクタには電線（図示せず）が接続されており、電線の端部を電源装置に接続することでＬＥＤモジュール２２と電源装置とが電気的に接続される。
【００１７】
また、各ＬＥＤモジュール２２において隣接するＬＥＤモジュール２２と対向する端部には、電源供給用のコネクタ（図示せず）がそれぞれ実装されている。そして、両ＬＥＤモジュール２２のコネクタ同士を接続することで、一方のＬＥＤモジュール２２から他方のＬＥＤモジュール２２に点灯電力が中継される。ここに、本実施形態では、ＬＥＤモジュール２２により光源部が構成されている。
【００１８】
取付部材２１は、板金に曲げ加工することでＵ字状に形成され、長尺且つ矩形板状に形成された底壁部２１１と、底壁部２１１の左右方向（幅方向）における両端から上向き（底壁部２１１と交差する方向）に突出する一対の側壁部２１２とで構成される。各側壁部２１２の先端（上端）には、外向きに折り曲げることで形成された引掛部２１２１がそれぞれ全長に亘って設けられている。
【００１９】
底壁部２１１の後端部には、ＬＥＤモジュール２２と電源装置とを電気的に接続する上記電線を通すための孔（図示せず）が設けられている。なお、上述したＬＥＤモジュール２２は、例えば取付部材２１の底壁部２１１の一部を切り起こすことで形成された爪２１１１により取付部材２１に固定される。
【００２０】
また、取付部材２１は、図１に示すように、長手方向における両端寄りの位置において幅方向の一端側に延びる一対の引掛金具２１４と、幅方向の他端側に配置される一対の引掛ばね（図示せず）とを有している。
【００２１】
カバー２３は、図１〜図３に示すように、第１カバー体２３Ａと第２カバー体２９の２つの部材で構成される。
【００２２】
第１カバー体２３Ａは、拡散性を有する材料（例えば乳白色のアクリル樹脂）により上面が開口する長尺の箱形に形成されている。また、第１カバー体２３Ａは、左右方向（幅方向）において両端側から中央側に近づくほど下側への突出量が大きくなるような凸レンズ形状の曲面部２３１を有している。
【００２３】
曲面部２３１の左右方向における両端部には、互いに並行するように上向きに突出する一対の突壁部２３３がそれぞれ一体に形成されている。また、各突壁部２３３の先端（上端）には、内向きに突出する突起部２３３０がそれぞれ設けられている。さらに、曲面部２３１の左右方向における両端部には、曲面部２３１と連なるように各突壁部２３３の外側まで延出する延出部２３２がそれぞれ一体に形成されている。
【００２４】
そして、第１カバー体２３Ａは、各突壁部２３３の突起部２３３０が、取付部材２１の各側壁部２１２の引掛部２１２１に引っ掛かることにより、ＬＥＤモジュール２２の前方（下方）を覆うように取付部材２１の下面側に取り付けられる。
【００２５】
第２カバー体２９は、第１カバー体２３Ａの曲面部２３１と同一の曲面形状を有する曲面部２９０、曲面部２９０の一端側を塞ぐエンド部２９１、曲面部２９０の他端側の周縁から突出する突出片２９２などが一体に形成されている。また、曲面部２９０の裏面（上面）には、上向きに突出する一対の突壁２９３（図５Ａでは片側のみ図示）が曲面部２９０と一体に形成されている。さらに、曲面部２９０の中央部分には、矩形の孔２９００が開口している。なお、本実施形態では、透光性を有しない合成樹脂材料で第２カバー体２９を形成している。
【００２６】
カバーエンド２４は、第１カバー体２３Ａと同じ材料で半円板状に形成され、第１カバー体２３Ａ及び取付部材２１の長手方向（前後方向）における一端に取り付けられる。
【００２７】
本実施形態の光源ユニット２は、機能部品としてプルスイッチ２６を備える。プルスイッチ２６は、内部に設けられた接点（図示せず）が端子台と電源装置（ともに図示せず）の間に挿入され、プルスイッチ２６の引き紐（図示せず）を引く毎に電源装置に給電される状態と、電源装置への給電が停止される状態とが切り替えられる。なお、プルスイッチ２６は従来周知のものであり、詳細な説明については省略する。
【００２８】
また、プルスイッチ２６は、図６に示すように保持部材２７に保持される。保持部材２７は、一面（上面）が開口する矩形箱状の合成樹脂成形体からなり、その内部にプルスイッチ２６を収納して保持するように構成される。
【００２９】
また、保持部材２７は、台座２８を介して取付部材２１に取り付けられる。台座２８は、矩形板状の主部（図示せず）と、主部の左右方向における両側から上向きに突出する角筒状の一対の突部２８１（図５Ａでは片側のみ図示）とが合成樹脂成形体として一体に形成されている。
【００３０】
この台座２８は、取付部材２１の底壁部２１１に設けられた一対の貫通孔２１１０に、一対の突部２８１をそれぞれ嵌め込むことで取付部材２１に取り付けられる。なお、ＬＥＤモジュール２２の端近くに実装された複数個のＬＥＤ２２２は、取付部材２１に取り付けられた台座２８で隠される。
【００３１】
引掛部材３０は、例えばＳＰＣＣなどの冷間圧延鋼板に曲げ加工することで形成される。この引掛部材３０は、図４に示すように、前後方向に長い矩形板状に形成された主部３０１と、主部３０１の先端部（前端部）において一体に設けられた引掛部３０２と、主部３０１の先端側且つ下端部において一体に設けられた操作部３０３とを有する。操作部３０３は、主部３０１から側方（主部３０１の厚み方向と平行な方向）に延出し、且つその先端部が下向きに折り曲げられたＬ字状に形成されている。また、主部３０１の後端寄りの位置には、前後方向に長い長孔からなる貫通孔３０１０が設けられている。
【００３２】
そして、引掛部材３０は、主部３０１の長手方向と取付部材２１の長手方向とが同じ方向となるように配置し、貫通孔３０１０に通した段付きねじ２３５を取付部材２１の側壁部２１２に設けられたねじ孔２１２０にねじ込むことで側壁部２１２に取り付けられる。この引掛部材３０は、側壁部２１２に取り付けられた状態で側壁部２１２に沿って前後方向に移動可能となっており、側壁部２１２は引掛部材３０のガイドとして機能する。
【００３３】
次に、光源ユニット２の組立手順について具体的に説明する。
【００３４】
まず最初に、作業者は、電源装置を取付部材２１の底壁部２１１の上面側に取り付け、さらに爪２１１１によりＬＥＤモジュール２２を取付部材２１の底壁部２１１の下面に固定する。その後、作業者は、ＬＥＤモジュール２２のコネクタ（図示せず）から導出する電線を取付部材２１の底壁部２１１に設けた孔に通し、その端部を電源装置に接続する。さらに、作業者は、プルスイッチ２６を保持部材２７の内部に収納して保持させる。このとき、作業者は、プルスイッチ２６の引き紐を保持部材２７の外に引き出しておく。
【００３５】
次に、作業者は、保持部材２７に台座２８を取り付けた後、保持部材２７の先端側（下端側）を第２カバー体２９の曲面部２９０の孔２９００に、曲面部２９０の裏面側（上側）から挿通させる。さらに、作業者は、保持部材２７及び台座２８を取り付けた第２カバー体２９を第１カバー体２３Ａに取り付ける。
【００３６】
このとき、第２カバー体２９の突出片２９２が、第１カバー体２３Ａの端部（曲面部２３１の端部）の内側に嵌め込まれることにより、第２カバー体２９が第１カバー体２３Ａに取り付けられる。第２カバー体２９が第１カバー体２３Ａに取り付けられた状態では、第２カバー体２９の曲面部２９０と第１カバー体２３Ａの曲面部２３１とが面一になる。なお、第１カバー体２３Ａ及び第２カバー体２９は、接着剤で接着されるのが好ましい。
【００３７】
そして、作業者は、開口側を上向きにした状態でカバー２３（第１カバー体２３Ａ及び第２カバー体２９）を取付部材２１に組み付ける。このとき、第１カバー体２３Ａの各突壁部２３３にそれぞれ設けた突起部２３３０が、取付部材２１の各側壁部２１２にそれぞれ設けた引掛部２１２１に引っ掛かり、第１カバー体２３Ａが取付部材２１に取り付けられる。
【００３８】
最後に、作業者は、第１カバー体２３Ａの突壁部２３３及び第２カバー体２９の突壁２９３に設けた長孔状の貫通孔（図示せず）に段付きねじ２３５を通し、取付部材２１の側壁部２１２に設けたねじ孔２１２０にねじ込むことでカバー２３をねじ固定する。以上のような手順に従って、光源ユニット２が組み立てられる。
【００３９】
続けて、照明器具１０の施工手順について説明する。まず最初に、作業者は、天井裏に先行配線された電源線（図示せず）を器具本体１の孔１１１Ａに通し、さらに室内側に露出する吊りボルト（図示せず）を孔１１１Ｂに通した後、吊りボルトにナットをねじ込んで器具本体１を固定する。その後、作業者は、電源線の端部を端子台に接続し、さらに端子台と電源装置との間を電線により接続する。このとき、端子台と電源装置との間にプルスイッチ２６の接点を挿入させる。
【００４０】
そして最後に、作業者は、器具本体１の一方の側壁部１１２に設けられた一対の挿通孔１１２Ａにそれぞれ引掛金具２１４の先端を引っ掛けた後、一対の引掛ばね（図示せず）を器具本体１の他方の側壁部１１２に設けられた引掛部（図示せず）に引っ掛ける。この状態から、作業者が、引掛金具２１４を支点として光源ユニット２を持ち上げるように回転させると、引掛ばねが引掛部に引っ掛かったままで元の状態に戻ることにより、引掛ばねのばね力で光源ユニット２が器具本体１に保持される。以上のような手順に従って、照明器具１０が天井に施工される。
【００４１】
ところで、本実施形態のように、機能部品としてプルスイッチ２６を備えている場合には、プルスイッチ２６の引き紐を引く力の大きさによっては引掛ばねのみで光源ユニット２を保持できない可能性がある。そこで、本実施形態では、器具本体１に対する光源ユニット２の保持力を高められるように引掛部材３０を用いている。
【００４２】
そして、取付機構（引掛金具２１４及び引掛ばね）により光源ユニット２を器具本体１に取り付けた状態から、操作部３０３を操作して引掛部材３０を前方にスライドさせ、器具本体１の引掛板１３に引掛部３０２を引っ掛ける（図５Ｂ参照）。これにより、取付機構のみで光源ユニット２を保持させる場合に比べて、器具本体１に対する光源ユニット２の保持力を高めることができる。
【００４３】
また、器具本体１から光源ユニット２を取り外す際には、操作部３０３を操作して引掛部材３０を後方にスライドさせ、引掛部３０２が引掛板１３に引っ掛からない位置まで引掛部材３０を後退させる（図５Ａ参照）。ここに、本実施形態では、図５Ｂに示す位置が第１位置であり、図５Ａに示す位置が第２位置である。また、本実施形態では、引掛板１３により第１引掛部が構成され、引掛部材３０の引掛部３０２により第２引掛部が構成されている。
【００４４】
また、本実施形態では、図６に示すように、光源ユニット２を器具本体１に取り付けた状態において引掛部材３０の操作部３０３が器具本体１の外部に露出している。そのため、光源ユニット２を器具本体１に取り付けた後で操作部３０３を操作することができる。
【００４５】
次に、本実施形態の照明器具１０に用いられる別の引掛部材３２について、図７Ａ〜図７Ｃを参照しながら具体的に説明する。
【００４６】
引掛部材３２は、表面の摩擦係数が小さいプレコート材に曲げ加工することで形成される。ここに、プレコート材とは、金属よりも摩擦係数の小さい塗膜が表面に形成された金属材料のことをいう。この引掛部材３２は、前後方向に長い矩形板状に形成された主部３２１と、主部３２１の先端部（前端部）において一体に設けられた引掛部３２２と、主部３２１の先端側且つ下端部において一体に設けられた操作部３２３とを有する。操作部３２３は、主部３２１から側方（主部３２１の厚み方向と平行な方向）に延出し、且つその先端部が下向きに折り曲げられたＬ字状に形成されている。
【００４７】
また、主部３２１は、前後方向（引掛部３２２の移動方向）に沿って開口する溝部３２１１を有しており、この溝部３２１１によって後端側（図７Ａ中の左側）の部位が二股に分かれている。溝部３２１１よりも下側に位置する下脚部３２４の基端側（前側）には、溝部３２１１に連続して矩形の開口部３２１２が設けられており、下脚部３２４の基端側の幅寸法が上脚部３２５の基端側の幅寸法よりも小さくなっている。そのため、下脚部３２４は、上下方向に弾性変形しやすくなっている。
【００４８】
また、下脚部３２４の前後方向中央部における上端縁（溝部３２１１の開口端縁）には、上向きに突出する突起部３２１３が設けられている。さらに、上脚部３２５の後端側における下端縁には、下向きに突出する突起部３２１４が設けられており、この突起部３２１４によって溝部３２１１の後側の部位がクランク形状になっている。
【００４９】
このように、溝部３２１１の後側の部位をクランク形状にすることで、例えば部品棚などに複数の引掛部材３２を無造作に置いた場合でも引掛部材３２同士が絡まりにくくなるという利点がある。また、取付部材２１に引掛部材３２を取り付けた後は、溝部３２１１内を移動する段付きねじ２３５が溝部３２１１内から抜けにくくなるという利点がある。
【００５０】
段付きねじ２３５は、図８Ａ〜図８Ｃに示すように、軸方向に沿って複数のねじ山が形成されたねじ部２３５１と、ねじ部２３５１よりも径の大きい円筒部２３５２とを有する。この段付きねじ２３５は、取付部材２１に引掛部材３２を取り付け、且つ取付部材２１に対して前後方向に移動可能な状態で引掛部材３２を保持する。
【００５１】
次に、引掛部材３２の動作について、図８Ａ〜図８Ｃ及び図９Ａ〜図９Ｂを参照しながら具体的に説明する。
【００５２】
図９Ａに示すように、引掛部３２２が後方に引っ込んだ状態から、操作部３２３を操作して引掛部材３２を前方（図９Ａ中の右側）にスライドさせる。このとき、図８Ａに示すように、段付きねじ２３５に対して引掛部材３２が前方（図８Ａ中の矢印Ａ１方向）に移動し、これにより段付きねじ２３５の円筒部２３５２が溝部３２１１内を後方へ移動することになる。そして、段付きねじ２３５の円筒部２３５２が溝部３２１１内の突起部３２１３に接触すると、下脚部３２４が下向き（図８Ａ中の矢印Ａ２の向き）に弾性変形する。
【００５３】
その後、段付きねじ２３５の円筒部２３５２が突起部３２１３を超えると、下脚部３２４が弾性力によって元の位置に復帰する。この状態では、突起部３２１３によって段付きねじ２３５の移動が規制され（図８Ｃ参照）、取付部材２１に対して引掛部材３２が位置決めされる（図８Ｂ参照）。その結果、図９Ｂに示すように、引掛部３２２が前方に突出し、器具本体１側に設けられた引掛板１３に引掛部３２２が引っ掛かり、光源ユニット２が器具本体１に強固に保持される。
【００５４】
また、器具本体１から光源ユニット２を取り外す際には、操作部３２３を操作して引掛部材３２を後方にスライドさせ、引掛部３２２が引掛板１３に引っ掛からない位置（図９Ａに示す位置）まで引掛部材３２を後退させる。ここに、本例では、図９Ｂに示す位置が第１位置であり、図９Ａに示す位置が第２位置である。
【００５５】
なお、上述の引掛部材３２は一例であって、図１０Ａ〜図１０Ｃに示す引掛部材３３であってもよい。この引掛部材３３は、引掛部材３２と同様に、表面の摩擦係数が小さいプレコート材に曲げ加工することで形成される。この引掛部材３３は、前後方向に長い矩形板状に形成された主部３３１と、主部３３１の先端部（前端部）において一体に設けられた引掛部３３２と、主部３３１の先端側且つ下端部において一体に設けられた操作部３３３とを有する。操作部３３３は、主部３３１から側方（主部３３１の厚み方向と平行な方向）に延出し、且つその先端部が下向きに折り曲げられたＬ字状に形成されている。
【００５６】
また、主部３３１は、前後方向（引掛部３３２の移動方向）に沿って開口する溝部３３１１を有しており、この溝部３３１１によって後端側（図１０Ａ中の左側）の部位が二股に分かれている。溝部３３１１よりも上側に位置する上脚部３３５は、前後方向中央部における下端縁から下向きに突出する突起部３３１２を有している。また、溝部３３１１よりも下側に位置する下脚部３２４は、前後方向中央部における上端縁から上向きに突出する突起部３３１２を有している。なお、引掛部材３３の動作については、上述の引掛部材３２と同様であるから、ここでは説明を省略する。
【００５７】
ここに、引掛部材３２，３３を表面の摩擦係数が小さいプレコート材で形成することで、取付部材２１に対して引掛部材３２，３３が滑りやすくなり、引掛部材３２，３３の操作性が向上するという利点がある。
【００５８】
ところで、上述の実施例では、取付部材２１の側壁部２１２に沿って前後方向にスライド移動する引掛部材３０，３２，３３を例に説明したが、操作部３１１の回転動作に伴って引掛部３１０を第１位置又は第２位置へ移動させる引掛部材３１であってもよい。以下、図１１及び図１２を参照しながら具体的に説明する。
【００５９】
引掛部材３１は、図１１に示すように、上下方向に長い棒状に形成された操作部３１１と、操作部３１１の中間部に固定された板状の引掛部３１０とで構成される。
【００６０】
一方、取付部材２１の底壁部２１１には、上下方向に貫通し且つ操作部３１１が挿通される貫通孔（図示せず）が設けられており、また一方の側壁部２１２の前端部には、前後方向に長い矩形の貫通孔２１２２が設けられている。さらに、第２カバー体２９の曲面部２９０において上記貫通孔と対応する位置には、上下方向に貫通する貫通孔２９０１が設けられている。
【００６１】
引掛部材３１を光源ユニット２に組み付けた状態では、操作部３１１の下端部が貫通孔２９０１を臨むように配置されており、貫通孔２９０１に挿入された治具（図示せず）によって操作部３１１を回転できるようになっている。
【００６２】
そして、取付機構（引掛金具２１４及び引掛ばね）により光源ユニット２を器具本体１に取り付けた後、第２カバー体２９の貫通孔２９０１に挿入した治具により引掛部材３１の操作部３１１を一方向に回転させる。その結果、操作部３１１に固定された引掛部３１０も操作部３１１と同じ方向に回転し、器具本体１の一方の側壁部１１２に設けた引掛孔１１２Ｂ内に挿入される（図１２参照）。これにより、例えばプルスイッチ２６の引き紐を引く力が大きい場合でも、引掛部３１０が引掛孔１１２Ｂの開口端縁に接触することで光源ユニット２が器具本体１に保持される。
【００６３】
また、器具本体１から光源ユニット２を取り外す際には、第２カバー体２９の貫通孔２９０１に挿入した治具により引掛部材３１の操作部３１１を逆方向に回転させ、引掛部３１０が引掛孔１１２Ｂに引っ掛からない位置まで引掛部材３１を回転させる。このように、操作部３１１の回転動作に伴って引掛部３１０が回転する引掛部材３１であっても、同様に、器具本体１に対する光源ユニット２の保持力を高めることができる。
【００６４】
なお、引掛部材については、引掛部材３０，３２，３３のように取付部材２１の幅方向における両側に設けてもよいし、引掛部材３１のように取付部材２１の幅方向における一端側のみに設けてもよい。また、引掛部材については、本実施形態のように、引掛部と操作部とが一体に形成されていてもよいし、別体であってもよい。
【００６５】
さらに、機能部品（プルスイッチ２６）については必ずしも必要でなく、機能部品を持たない照明器具であってもよい。また、本実施形態では、段付きねじ２３５により引掛部材３０，３２，３３を取付部材２１に取り付けたが、引掛部材を取付部材に取り付けることができ、且つ取付部材に対して前後方向に移動可能な状態で引掛部材を保持できるようになっていればよい。したがって、例えばハトメなどによって引掛部材を取付部材に取り付けてもよい。
【００６６】
以上説明したように、本実施形態の光源ユニット２は、取付部材２１と、ＬＥＤモジュール２２（光源部）と、カバー２３（第１カバー体２３Ａ及び第２カバー体２９）と、取付機構（引掛金具２１４及び引掛ばね）と、引掛部３０２（第２引掛部）と、操作部３０３とを備える。取付部材２１は、長尺且つ板状に形成される。ＬＥＤモジュール２２は、取付部材２１の下面（一面）側に配置される。カバー２３は、少なくとも一部が透光性を有する材料で箱形に形成され、且つＬＥＤモジュール２２を覆うように取付部材２１に取り付けられる。前記取付機構は、長尺状に形成された器具本体１に取り付けるために用いられる。引掛部３０２は、器具本体１に設けられた引掛板１３（第１引掛部）に引っ掛けられる第１位置と、引掛板１３から外れる第２位置との間で移動する。操作部３０３は、引掛部３０２を第１位置又は第２位置へ移動させる際に操作される。そして、器具本体１に取り付けられた状態では、引掛部３０２が引掛板１３に引っ掛けられる。
【００６７】
また、本実施形態の光源ユニット２のように、器具本体１に取り付けられた状態において器具本体１の外部から操作可能な位置に操作部３０３が設けられているのが好ましい。
【００６８】
また、本実施形態の光源ユニット２のように、引掛部材３２を備えているのが好ましい。この引掛部材３２は、引掛部３２２の移動方向に長い板状に形成された主部３２１を有し、引掛部３２２及び操作部３２３が主部３２１と一体に設けられており、段付きねじ２３５により取付部材２１に取付けられる。主部３２１は、引掛部３２２の移動方向に沿って開口し且つ引掛部３２２の移動に伴って段付きねじ２３５が移動する溝部３２１１を有しており、引掛部３２２の移動方向における一端側が溝部３２１１により二股に分かれている。
【００６９】
また、本実施形態の光源ユニット２のように、溝部３２１１は、引掛部３２２の移動方向における一部がクランク形状になっているのが好ましい。
【００７０】
また、本実施形態の光源ユニット２のように、溝部３２１１は、溝部３２１１の開口端縁から溝部３２１１内に突出し、溝部３２１１内を移動する際に段付きねじ２３５が接触する突起部３２１３を有しているのが好ましい。
【００７１】
また、本実施形態の光源ユニット２のように、引掛部３０２と操作部３０３とが一体に形成された引掛部材３０を備えているのが好ましい。取付部材２１は、長尺且つ矩形板状に形成された底壁部２１１と、底壁部２１１の幅方向における両端から底壁部２１１と交差する方向で且つＬＥＤモジュール２２と反対側に突出する一対の側壁部２１２とで形成される。取付部材２１の側壁部２１２は、取付部材２１の長手方向に沿って引掛部材３０が移動する際のガイドとして機能する。
【００７２】
また、本実施形態の光源ユニット２のように、引掛部３１０は、操作部３１１の回転動作に伴って第１位置又は第２位置へ移動するのが好ましい。
【００７３】
本実施形態の照明器具１０は、光源ユニット２と、器具本体１とを備えている。
【符号の説明】
【００７４】
２  光源ユニット
１３  引掛板（第１引掛部）
２１  取付部材
２２  ＬＥＤモジュール（光源部）
２３  カバー
２１４  引掛金具（取付機構）
３０２  引掛部（第２引掛部）
３０３  操作部
【図１】
2015165480.tif 000003
【図２】
2015165480.tif 000004
【図３】
2015165480.tif 000005
【図４】
2015165480.tif 000006
【図５】
2015165480.tif 000007
【図６】
2015165480.tif 000008
【図７】
2015165480.tif 000009
【図８】
2015165480.tif 000010
【図９】
2015165480.tif 000011
【図１０】
2015165480.tif 000012
【図１１】
2015165480.tif 000013
【図１２】
2015165480.tif 000014